(57)【要約】【課題】  カボションカットのできる石なら、宝石でも貴石でも、キャッツアイ状のラインを浮き立たせることができる構造を有する宝玉及びその製造方法を提供する。【解決手段】  カボションカットされた、玉体１０の反カボションカット面に、均等な研磨によって、一定方向に対して完全に平行に且つ微細なライン状の溝１１が設けられている。【選択図】        図２
0003122884.tif 000002
【実用新案登録請求の範囲】
【請求項１】
透明度のある、カボションカットされた、玉体の反カボションカット面に、均等な研磨によって、一定方向に対して完全に平行に且つ微細なライン状の溝が設けられたことを特徴とするキャッツアイ状のラインの浮き立つ宝玉。
【請求項２】
透明度のある、カボションカットされた、玉体の反カボションカット面に、一定方向に対して完全に平行に且つ微細なライン状の溝が穿設されるように、均等に研磨することを特徴とするキャッツアイ状のラインの浮き立つ宝玉の製造方法。
【考案の詳細な説明】
【技術分野】
【０００１】
本考案は、キャッツアイ状のラインの浮き立つ宝石及び貴石・半貴石を含む宝玉及びその製造方法に関する。
【背景技術】
【０００２】
一般に、図５に示すような卵を縦に半分に切り落としたような形にカットされたカボションカットの施された宝玉２０の中で、クリソベリルキャッツアイなど、ごく限られた宝石にしか、所謂猫目効果などと言われるキャッツアイ効果は認められていなかった。
【０００３】
換言すれば、カボションカットの施されていなければ、このキャッツアイ効果は認められていないし、またカボションカットの施されていても、全ての石にキャッツアイ効果が認められるわけではない。しかし、クリソベリルキャッツアイなどのある特定の石に対しカボションカットしてやると宝石の表面に猫の目のような明るい光の筋が現れる。
【０００４】
このキャッツアイ効果とは、強い光を当てると、上質の絹の光沢に例えられる地色の石に、白い一本の光条が細くくっきり浮き上がる光学上の効果を言い、まさに猫の眼を思わせる。
【０００５】
このような効果を持つ宝石は、華やかではないが、その妖しい美しさに魅了される宝石通が多い。宝石としては高価な種類にランクされる。キャッツアイは、白い光条が石の中央にくることと、光源を左右に動かしても線がくずれずに移動し、地肌の美しいのが上品とされている。
【０００６】
尚、本願考案に関する調査を行ったが、これに関する従来技術文献は認められなかった。参考までに下記特許文献１をあげておく。
【特許文献１】特開平６−３２７５０９号
【考案の開示】
【考案が解決しようとする課題】
【０００７】
一方、カボションカットが施せる石は、上記のような宝石に限られず、貴石と言われる石でもそのカットは可能である。
【０００８】
しかし、カボションカットのような非常に手間のかかるカット技術を施しても、これまでは、全ての石にキャッツアイ効果が得られるわけではなかったので、カボションカットされる石（宝石、貴石及び半貴石を含む）は、デザイン状の得意な要請から必要な石だけが対象にされ、ごく限られた宝石を除き、その石自身の価値を高めるためのものではなかった。
【０００９】
本考案は、以上のような問題に鑑み、鋭意研鑽の結果創案されたもので、カボションカットのできる石なら、宝石でも貴石でも、キャッツアイ状のラインを浮き立たせることができる構造を有する宝玉及びそのような宝玉の製造方法を提供せんとするものである。
【課題を解決するための手段】
【００１０】
そのため本考案に係る宝玉（宝石、貴石及び半貴石を含む；以下同じ）は、透明度のある、カボションカットされた、玉体の反カボションカット面に、均等な研磨によって、一定方向に対して完全に平行に且つ微細なライン状の溝が設けられたことを基本的特徴としている。
【００１１】
未だ理論的な解明はなされていないが、上記構成を有する宝玉には、強い光を当てた場合、必ずキャッツアイ状のラインが浮き立って見えることになる。
【００１２】
また請求項２の構成は、そのようなキャッツアイ状のラインが浮き立って見える宝玉の製造方法を提案するものであって、より具体的には、透明度のある、カボションカットされた、玉体の反カボションカット面に、一定方向に対して完全に平行に且つ微細なライン状の溝が穿設されるように、均等に研磨することを特徴としている。
【考案の効果】
【００１３】
本考案に係る宝玉及びその製造方法によれば、透明度のあるカボションカットのできる石なら、宝石でも貴石・半貴石でも、キャッツアイ状のラインが浮き立たせることができるので、これらの宝玉自身の価値をより高めることが可能となるという優れた効果を奏し得る。
【考案を実施するための最良の形態】
【００１４】
以下、本考案の実施の形態を図示例と共に説明する。
【実施例１】
【００１５】
図１は、本考案に係る宝玉の実施例構成を示している。本構成では、コランダム系のサファイア（本実施例ではパパラチアサファイアを用いた）をカボションカットし、その玉体１０の反カボションカット面に、均等な研磨によって、一定方向に対して完全に平行に且つ微細なライン状の溝１１が設けられた状態を示している。
【００１６】
このライン状の溝１１は、肉眼では視認不可能な程微細であり、それは、グラインディング（荒研磨）よりはさらに細かく、ポリッシング（光沢出し）よりは粗く研磨することで、つけることが可能である。一応の目安として、サンディング（中研磨）程度の研磨によって、形成されることになる。ただし、石の硬度によって、研磨の程度は異なってくるので、あくまで、サンディング程度の研磨にする必要がある。
【００１７】
カットの上面部分は、キャッツアイ効果の強さを引き出せる高さに調整しながら、キャッツアイ効果のライン１２に歪みが出ないように均等に研磨する。
【００１８】
以上のようにして仕上がったカボションカットされたサファイアに、強い光を当てた場合、光の性質と密接に関連して、図２に示すように、薄オレンジ色の石に、白い一本の光条が細くくっきり浮き上がるキャッツアイ状のライン１２が観察されることになった。図３は、その上平面から見た状態を示している。
【００１９】
このようなキャッツアイは、白い光条が石の中央にくることと、光源を左右に動かしてもライン１２がくずれず移動するので、上品な地肌の美しい薄オレンジ色のパパラチアサファイアとして、この宝石自身に大きな価値のあるものとなった。
【００２０】
ただし、パパラチアサファイア自身、同じサファイアの中で、元々希少価値があり、その希少価値のあるパパラチアサファイアに、キャッツアイ状のライン１２が浮き立って見えるので、さらにその価値を高めることになった。
【００２１】
またこのパパラチアサファイアだけでなく、他の色のサファイア、或いは同じコランダム系のルビーでも、本考案者の実施した結果では、光を当てると、上述したと同様なキャッツアイ状のライン１２が浮き上がり、それが肉眼で観察された。図４は、カボションカットされたパープルサファイアに対し、強い光によって、そのようなキャッツアイ状のライン１２が浮き上がった状態を示す説明図である。
【００２２】
このほか、本考案者は、透明度のあるカボションカットの可能な貴石を含む他の宝飾石についても、コランダム系よりは少し硬度が落ちるトルマリン、アメジスト、クンツァイト、シトリン、クォーツ、ガーネット、スピネル、タンザナイト（ゾイサイト）、アクアマリーン、アレキサンドライト、ダンブライト、トパーズ等に対して、同様な研磨によるライン状の溝をつけることで、上述のようなキャッツアイ状のラインがカボションカット面に浮き上がることを確認した。
【００２３】
さらに、カボションカットしてキャッツアイ効果をもともと持つ宝石は、本考案構成のように、反カボションカット面に、研磨によって、一定方向に対して平行に且つ微細なライン状の溝を設けてももちろん良い。しかし、これらの石は、カボションカットするだけで、キャッツアイ効果を持つので、以上のライン状の溝を施す必要性に欠けることになる。
【００２４】
キャッツアイ効果を持つ種類は全体の中でも３〜４種類で、安定した数量の確保が可能なのは１〜２種類のみであり、全体の数％にしかならないので、むしろ本考案は、カボションカットしてもキャッツアイ効果が得られない宝玉に対して、意味があることになる。
【００２５】
尚、本考案のキャッツアイ状のラインの浮き立つ宝玉は、上述の図示例にのみ限定されるものではなく、本考案の要旨を逸脱しない範囲内において種々変更を加え得ることは勿論である。
【産業上の利用可能性】
【００２６】
本考案の宝玉及びその製造方法は、単に自然石などに適用されるだけではなく、人工的にできた宝玉に対しても適用可能である。またそれらは、ビーズなどにも使用できることは言うまでもない。
【図面の簡単な説明】
【００２７】
【図１】本考案に係る宝玉の一実施例構成を示す説明図である。
【図２】上記構成の斜視図である。
【図３】図２の上平面から見た状態を示す平面図である。
【図４】カボションカットされたパープルサファイアに対し、強い光によって、キャッツアイ状のライン１２が浮き上がった状態を示す説明図である。
【図５】カボションカットの形状説明図である。
【符号の説明】
【００２８】
１０      玉体
１１      溝
１２      ライン
２０      宝玉
【図１】
0003122884.tif 000003
【図２】
0003122884.tif 000004
【図３】
0003122884.tif 000005
【図４】
0003122884.tif 000006
【図５】
0003122884.tif 000007
【手続補正書】
【提出日】平成18年4月19日(2006.4.19)
【手続補正１】
【補正対象書類名】実用新案登録請求の範囲
【補正対象項目名】全文
【補正方法】変更
【補正の内容】
【実用新案登録請求の範囲】
【請求項１】
透明度のある、カボションカットされた、玉体の反カボションカット面に、均等な研磨によって、一定方向に対して完全に平行に且つ微細なライン状の溝が設けられたことを特徴とするキャッツアイ状のラインの浮き立つ宝玉。
【請求項２】
透明度のある、カボションカットされた、玉体の反カボションカット面に、一定方向に対して完全に平行に且つ微細なライン状の溝が穿設されるように、均等に研磨されたことを特徴とするキャッツアイ状のラインの浮き立つ宝玉。
【手続補正３】
【補正対象書類名】明細書
【補正対象項目名】０００１
【補正方法】変更
【補正の内容】
【０００１】
本考案は、キャッツアイ状のラインの浮き立つ宝石及び貴石・半貴石を含む宝玉に関する。
【手続補正４】
【補正対象書類名】明細書
【補正対象項目名】０００９
【補正方法】変更
【補正の内容】
【０００９】
本考案は、以上のような問題に鑑み、鋭意研鑽の結果創案されたもので、カボションカットのできる石なら、宝石でも貴石でも、キャッツアイ状のラインを浮き立たせることができる構造を有する宝玉を提供せんとするものである。
【手続補正５】
【補正対象書類名】明細書
【補正対象項目名】００１２
【補正方法】変更
【補正の内容】
【００１２】
また請求項２の構成は、そのようなキャッツアイ状のラインが浮き立って見える宝玉を別の観点から提案するものであって、より具体的には、透明度のある、カボションカットされた、玉体の反カボションカット面に、一定方向に対して完全に平行に且つ微細なライン状の溝が穿設されるように、均等に研磨された宝玉である。
【手続補正６】
【補正対象書類名】明細書
【補正対象項目名】００１３
【補正方法】変更
【補正の内容】
【００１３】
本考案に係る宝玉によれば、透明度のあるカボションカットのできる石なら、宝石でも貴石・半貴石でも、キャッツアイ状のラインが浮き立たせることができるので、これらの宝玉自身の価値をより高めることが可能となるという優れた効果を奏し得る。
【手続補正７】
【補正対象書類名】明細書
【補正対象項目名】００２６
【補正方法】変更
【補正の内容】
【００２６】
本考案の宝玉は、単に自然石などに適用されるだけではなく、人工的にできた宝玉に対しても適用可能である。またそれらは、ビーズなどにも使用できることは言うまでもない。